Podtech/llm-jp-corpus-v4-ja_patent huggingface dataset:
【手続補正書】
【提出日】平成22年3月25日(2010.3.25)
【手続補正１】
【補正対象書類名】特許請求の範囲
【補正対象項目名】全文
【補正方法】変更
【補正の内容】
【特許請求の範囲】
【請求項１】
誘導性フライバックスルーレート変更を行う装置であって、
ゲートと、ソースと、ドレインとを含むトランジスタと、
前記ドレインに接続される誘導性負荷と、
前記ゲートに接続される複数の電流源であって、前記複数の電流源の内の第１電流源は、前記トランジスタをオンに切り替えるように構成可能であり、前記複数の電流源の内の第２電流源は、前記トランジスタをオフに切り替えるように構成可能である、前記複数の電流源と、
前記ゲートと前記ドレインとの間に接続されるクランプであって、電流が前記クランプを流れると、前記クランプの電圧が増加するように構成可能な第１抵抗素子と、該第１抵抗素子に直列接続される第１ツェナーダイオードと、前記第１抵抗素子に並列接続される第２ツェナーダイオードを含む、前記クランプと
を備える装置。
【請求項２】
誘導性フライバックスルーレート変更を行う装置であって、
ゲートと、ソースと、そしてドレインとを含むトランジスタと、
前記ソースに接続される誘導性負荷と、
前記ゲートに接続される複数の電流源であって、前記複数の電流源の内の第１電流源は、前記トランジスタをオンに切り替えるように構成可能であり、前記複数の電流源の内の第２電流源は、前記トランジスタをオフに切り替えるように構成可能である、前記複数の電流源と、
前記ゲートとグランドとの間に接続されるクランプであって、電流が前記クランプを流れると、前記クランプの電圧が増加するように構成可能な第１抵抗素子と、該第１抵抗素子に直列接続される第１ツェナーダイオードと、前記第１抵抗素子に並列接続される第２ツェナーダイオードを含む、前記クランプと
を備える装置。
【請求項３】
誘導性フライバック中の過渡電圧を低減する方法であって、
パワートランジスタの所望のスルーレートを確認することであって、前記パワートランジスタは、
トランジスタと、
入力電流を前記トランジスタと、誘導性負荷と、前記トランジスタに接続されるクランプに供給するための少なくとも一つの電流源と
を備え、前記クランプは、少なくとも一つの抵抗素子に直列接続される少なくとも一つのツェナーダイオードと、少なくとも一つの抵抗素子に並列接続される少なくとも一つのツェナーダイオードとを含む、前記スルーレートを確認すること、
前記所望のスルーレートを実現するために前記クランプの電圧を調整すること
を備える方法。
【手続補正書】
【提出日】平成22年6月10日(2010.6.10)
【手続補正１】
【補正対象書類名】特許請求の範囲
【補正対象項目名】全文
【補正方法】変更
【補正の内容】
【特許請求の範囲】
【請求項１】
集積された分路キャパシタであって、
導電性下部プレートと、
前記下部プレートの一部分を被覆するキャパシタ誘電膜と、
前記キャパシタ誘電膜を被覆する導電性上部プレートと、
前記上部プレートの一部分を被覆するシールドと、
前記上部プレートの少なくとも二つの側面に対して絶縁されるように配置された金属部材であって、前記下部プレートと前記シールドとを接続する金属部材と
を備える分路キャパシタ。
【請求項２】
前記上部プレートに隣接して配置されたボンディングパッドであって、上面金属のメタライゼーションにより前記上部プレートと接続されるボンディングパッドをさらに備える、
請求項１に記載の分路キャパシタ。
【請求項３】
前記金属部材はＵ字型部材を備える、請求項１に記載の分路キャパシタ。
【請求項４】
前記Ｕ字型部材は、さらに、分路キャパシタの二つの側面における第１寸法および分路キャパシタの第３の側面における第２寸法に沿って延在している、請求項３に記載の分路キャパシタ。
【請求項５】
前記金属部材は、第１層メタライゼーション金属膜と第２層メタライゼーション金属膜とを含む、請求項１に記載の分路キャパシタ。
【手続補正書】
【提出日】平成22年5月31日(2010.5.31)
【手続補正１】
【補正対象書類名】特許請求の範囲
【補正対象項目名】全文
【補正方法】変更
【補正の内容】
【特許請求の範囲】
【請求項１】
ａ）ＬＥＤコンポーネントであって、
ｉ）第１波長の光を放射可能なＬＥＤ、および
ｉｉ）発光面を有し、ｐｎ接合内に位置しないポテンシャル井戸を有する再発光半導体構造体、を含むＬＥＤコンポーネントと、
ｂ）底面、２つの集束性側面、及び２つの発散性側面を有する光学素子であって、該底面は該発光面と光学結合している光学素子と、を備える光源。
【請求項２】
ａ）ＬＥＤコンポーネントであって、
ｉ）第１波長の光を放射可能なＬＥＤ、および
ｉｉ）発光面を有し、ｐｎ接合内に位置しないポテンシャル井戸を有する再発光半導体構造体、を含むＬＥＤコンポーネントと、
ｂ）底面、該底面よりも小さい頂部、及び該底面と該頂部との間に延在する集束性側面を含む光学素子であって、該底面は、該発光面と光学結合し、且つ該発光面より大きくないサイズであり、
該ＬＥＤコンポーネントによって放射された光を方向付けて、側面発光パターンを生成する光学素子と、を備える光源。
【請求項３】
ａ）ＬＥＤコンポーネントであって、
ｉ）第１波長の光を放射可能なＬＥＤ、および
ｉｉ）発光面を有し、ｐｎ接合内に位置しないポテンシャル井戸を有する再発光半導体構造体、を含むＬＥＤコンポーネントと、
ｂ）底面、頂部、及び該底面と該頂部を接合する集束性側面を含む光学素子であって、該底面は、該発光面と光学結合しており、
該底面を含み、第１材料からなる第１セクション、および該頂部を含み、第２材料からなる第２セクションを有する光学素子とを備える光源。
【請求項４】
ａ）ＬＥＤコンポーネントであって、
ｉ）第１波長の光を放射可能なＬＥＤ、および
ｉｉ）発光面を有し、ｐｎ接合内に位置しないポテンシャル井戸を有する再発光半導体構造体、を含むＬＥＤコンポーネントと、
ｂ）底面、頂部、及び該底面と該頂部を接合する集束性側面を含む第１光学素子であって、該底面は該発光面と光学結合している第１光学素子と、
ｃ）該ＬＥＤコンポーネントおよび該第１光学素子をカプセル封入する第２光学素子であって、第１光学素子単独で取り出される出力と比較して、前記ＬＥＤコンポーネントから取り出される出力を増加させる第２光学素子と、を備える光源。
【手続補正書】
【提出日】平成22年6月11日(2010.6.11)
【手続補正１】
【補正対象書類名】特許請求の範囲
【補正対象項目名】全文
【補正方法】変更
【補正の内容】
【特許請求の範囲】
【請求項１】
ａ）第１波長の光を放射可能なＬＥＤと、
ｂ）ｐｎ接合内に位置しない少なくとも１つのポテンシャル井戸と、ＬＥＤで放射される光子のエネルギー以下で、少なくとも１つのポテンシャル井戸の遷移エネルギーより大きいバンドギャップエネルギーを有する吸収層とを備える再発光半導体構造体と、
ｃ）前記ＬＥＤから放射される光を前記再発光半導体構造体へ反射するように位置決めされた反射体と、を含む装置。
【請求項２】
ａ）第１波長の光を放射可能なＬＥＤと、
ｂ）第１波長の光の吸収に応じて第２波長の光を放射可能であり、ｐｎ接合内に位置しない少なくとも１つのＩＩ−ＶＩ半導体ポテンシャル井戸を備える再発光半導体構造体と、
ｃ）前記第１波長の光を透過し、前記第２波長の光の少なくとも一部を反射する反射体と、を含む装置。
【請求項３】
ａ）半導体ユニットであって、
ｉ）ｐｎ接合内に位置し、第１波長の光を放射可能なＬＥＤを備える第１ポテンシャル井戸、及び
ｉｉ）ｐｎ接合内に位置せず、再発光半導体構造体を備えるＩＩ−ＶＩ半導体第２ポテンシャル井戸を含む、半導体ユニットと、
ｂ）前記ＬＥＤから放射される光を前記再発光半導体構造体へ反射するように位置決めされた反射体と、を含む装置。
【手続補正書】
【提出日】平成22年5月31日(2010.5.31)
【手続補正１】
【補正対象書類名】特許請求の範囲
【補正対象項目名】全文
【補正方法】変更
【補正の内容】
【特許請求の範囲】
【請求項１】
第１発光表面を有するＬＥＤと、
前記ＬＥＤによって放射される光を異なる波長の光に変換し、第２発光表面を有する再発光半導体構造体と、を備え、第１及び第２発光表面の少なくとも１つが全内部反射を阻止するのに適応される、物品。
【請求項２】
前記第１及び前記第２発光表面の少なくとも１つが、前記表面を粗化することにより適応される、請求項１に記載の物品。
【請求項３】
前記第１及び前記第２発光表面の少なくとも１つが、構造化されることにより適応される、請求項１に記載の物品。
【請求項４】
前記第１及び前記第２発光表面の少なくとも１つが、成形封止材で封止されることにより適応される、請求項１に記載の物品。
【請求項５】
前記再発光半導体構造体が、ポテンシャル井戸を含む、請求項１に記載の物品。
【請求項６】
前記ＬＥＤが、ＵＶ又は青色ＬＥＤである、請求項１に記載の物品。
【請求項７】
前記ＬＥＤがＩＩＩ−Ｖ族半導体を備え、前記再発光半導体構造体がＩＩ−ＶＩ族半導体を備える、請求項１に記載の物品。
【手続補正書】
【提出日】平成22年6月11日(2010.6.11)
【手続補正１】
【補正対象書類名】特許請求の範囲
【補正対象項目名】全文
【補正方法】変更
【補正の内容】
【特許請求の範囲】
【請求項１】
発光面を有し、ＬＥＤ及び再発光半導体構造体を含むＬＥＤコンポーネントであって、前記ＬＥＤは第１波長の光を放射可能であり、前記再発光半導体構造体はｐｎ接合内に位置しない第２ポテンシャル井戸を有するＬＥＤコンポーネントと、
入力面及び出力面を有する光学素子であって、前記入力面は前記発光面の少なくとも一部と光学的に接触している光学素子と、を備える光源。
【請求項２】
前記発光面はＬＥＤダイの表面であり、前記光学素子は前記ＬＥＤダイと前記再発光半導体構造体との間に配置されている請求項１に記載の光源。
【請求項３】
前記発光面は、再発光半導体構造体の表面であり、再発光半導体構造体は前記ＬＥＤと前記光学素子との間に配置されている請求項１に記載の光源。
【手続補正書】
【提出日】平成21年10月29日(2009.10.29)
【手続補正１】
【補正対象書類名】特許請求の範囲
【補正対象項目名】全文
【補正方法】変更
【補正の内容】
【特許請求の範囲】
【請求項１】
結合式変調シンボルになるようデータ・シンボルのセットを変調する方法であって、
（ａ）前記データ・シンボルのセットをデータ・シンボルのＭ（Ｍ＞１）個のグループに分割する処理と、
（ｂ）データ・シンボルの各グループを時間領域サブシンボルに変換する処理であって、それにより、Ｍ個の時間領域サブシンボルを生成する、変換する処理であって、
データ・シンボルの各グループの前記変換は、サブキャリアのセットに基づき、前記サブキャリアのセット内で、前記サブキャリアのサブセットだけが、前記データ・シンボルのグループによって変調され、
各グループ内の各データ・シンボルは、前記サブキャリアの対応するサブセット内の異なるサブキャリアを変調し、
サブキャリアのいずれの２つのサブセットも、サブキャリアを共有しない、変換する処理と、
（ｃ）前記Ｍ個の時間領域サブシンボルを結合する処理であって、それにより、前記結合式変調シンボルを形成する、結合する処理とを含む方法。
【請求項２】
前記サブキャリアのＭ個のサブセット内のサブキャリアの総数は、前記サブキャリアのセット内のサブキャリアの数に等しい請求項１に記載の方法。
【請求項３】
ステップ（ｂ）は、変調サブキャリアの各サブセットについて、前記変調サブキャリアのサブセットと、１つまたは複数の未変調サブキャリアの両方を変換することであって、それにより、前記対応する時間領域サブシンボルを形成する、変換することを含む請求項１に記載の方法。
【請求項４】
データ・シンボルの各グループについて、（１）前記変調サブキャリアの数と（２）前記１つまたは複数の未変調サブキャリアの数の和は、前記セット内のサブキャリアの総数に等しい請求項３に記載の方法。
【請求項５】
各時間領域サブシンボルは、複数の時間領域サンプルで表され、
ステップ（ｃ）は、前記Ｍ個のサブシンボルの時間領域サンプルをインタリーブすることであって、それにより、前記結合式変調シンボルについてインタリーブされた時間領域サンプルのシーケンスを形成する、インタリーブすることを含む請求項１に記載の方法。
【請求項６】
前記変換は逆高速フーリエ変換（ＩＦＦＴ）であり、
各時間領域サブシンボルはＯＦＤＭサブシンボルであり、
前記結合式変調シンボルは結合式ＯＦＤＭシンボルである請求項１に記載の方法。
【請求項７】
復調データ・シンボルのセットになるよう、結合式変調シンボルを復調する方法であって、
（ａ）前記結合式変調シンボルをＭ（Ｍ＞１）個の時間領域サブシステムに分離する処理と、
（ｂ）各時間領域サブシンボルを復調データ・シンボルのグループに変換する処理であって、
各時間領域サブシンボルの前記変換は、サブキャリアのセットに基づき、前記サブキャリアのセット内で、前記サブキャリアのサブセットだけが、前記復調データ・シンボルのグループによって変調され、
各グループ内の各復調データ・シンボルは、前記サブキャリアの対応するサブセット内の異なるサブキャリアを変調し、
サブキャリアのいずれの２つのサブセットも、サブキャリアを共有しない、変換する処理と、
（ｃ）前記復調データ・シンボルのＭ個のグループをグループ解除（de-group）することであって、それにより、前記復調データ・シンボルのセットを生成する、グループ解除する処理とを含む方法。
【請求項８】
前記結合式変調シンボルは、インタリーブされた時間領域サンプルのシーケンスを含み、
ステップ（ａ）は、前記インタリーブされた時間領域サンプルをデインタリーブすることであって、それにより、前記Ｍ個の時間領域サブシンボルを得る、デインタリーブする処理を含む請求項７に記載の方法。
【請求項９】
前記サブキャリアのＭ個のサブセット内のサブキャリアの総数は、前記サブキャリアのセット内のサブキャリアの数に等しい請求項１５に記載の方法。
【請求項１０】
ステップ（ｂ）は、変調サブキャリアの各サブセットについて、前記変調サブキャリアのサブセットと、１つまたは複数の未変調サブキャリアの両方を変換することであって、それにより、前記復調データ・シンボルの対応するグループを形成する、変換することを含む請求項７に記載の方法。
【手続補正書】
【提出日】平成22年5月26日(2010.5.26)
【手続補正１】
【補正対象書類名】特許請求の範囲
【補正対象項目名】全文
【補正方法】変更
【補正の内容】
【特許請求の範囲】
【請求項１】
外耳道の骨部内に聴覚装置を保持するシールであって、
壁と頂部の開口とを有する湾曲したシェルであって、前記シェル壁が、聴覚装置構成要素を保持する空洞を画定し、前記シェルの少なくとも一部分が、音響減衰特性を有する弾性材料を含むシェルを含み、
前記シェルが前記外耳道内に配置されたときに、前記シェル壁が前記外耳道の形状の変化に動的に従い、それにより、外耳道の壁に、上皮層の毛細血管の静脈還流圧を超えるばね力を加えることなく、前記シェルの外面と前記外耳道の壁との間の音響シールを維持するように、シェル周界に加えられる圧縮力を分布させるよう、前記シェル壁が構成されたシール。
【請求項２】
前記シェルが、前記外耳道から前記シールを取り出す力が、前記外耳道に前記シールを挿入する力よりも大きくなるような構造を有し、前記シェルが、前記外耳道の残容積が約０．５ｃｃ未満になるように前記外耳道の前記骨部内に配置されるようなサイズを有し、前記シェル壁が、前記音響シールを維持するように前記圧縮力を分布させるよう構成された形状を有する、請求項１に記載のシール。
【請求項３】
前記シェルが、少なくとも約３．０×１０−３グラム／日ｍｍＨｇ、好ましくは少なくとも約４．０×１０−３グラム／日ｍｍＨｇの原位置水蒸気透過速度を有する、請求項１または２に記載のシール。
【請求項４】
前記シェル壁が、少なくとも約５０グラム／日／ｍ２／ｍｍＨｇ、好ましくは少なくとも約７０グラム／日／ｍ２／ｍｍＨｇ、より好ましくは少なくとも約１００グラム／日／ｍ２／ｍｍＨｇの原位置水蒸気パーミアンスを有する、請求項３に記載のシール。
【請求項５】
その少なくとも一部分が、前記コーティングに接触した細菌のコロニー形成単位を対数にして約３だけ減少させるように構成された抗菌コーティングを含む、請求項１から４のいずれか１項に記載のシール。
【請求項６】
前記シェルが前記外耳道内に配置されたときに、可聴周波数範囲において、前記シェルの内側部分と外側部分との間の少なくとも約３デシベルの音響減衰を達成するように、好ましくは前記シェルが前記外耳道内に配置されたときに、可聴周波数範囲において、前記シェルの内側部分と外側部分との間の少なくとも約１０デシベルの音響減衰を達成するように構成された、請求項１から５のいずれか１項に記載のシール。
【請求項７】
前記シェルが、前記シェルによって前記外耳道の壁に加えられるばね圧が約１２ｍｍＨｇを超えないように、好ましくは約６ｍｍＨｇを超えないように、通常約２から約６ｍｍＨｇの範囲にあるように構成された、請求項１から６のいずれか１項に記載のシール。
【請求項８】
前記シェルの直径の約１０パーセントまでの、好ましくは前記シェルの直径の約２０パーセントまでの半径方向の変形に関して前記シェルが前記外耳道の形状に従うことができるように構成された剛性を前記シェルが有する、請求項１から７のいずれか１項に記載のシール。
【請求項９】
前記シールが長期間、前記外耳道内にあるときに、前記外耳道内の水分の蓄積を最小化するように構成された原位置水蒸気透過速度を、前記シェル壁が有する、請求項１から８のいずれか１項に記載のシール。
【請求項１０】
前記シェル壁が、前記シールが前記外耳道内にあるときの前記外耳道の骨部の相対湿度と、耳の外側の周囲空気の相対湿度との間の実質的な平衡を可能にするように構成された原位置水蒸気透過速度を有する、請求項１から９のいずれか１項に記載のシール。
【請求項１１】
約５から約１０ｍｍの範囲の軸方向長さを有する、請求項１から１０のいずれか１項に記載のシール。
【請求項１２】
前記外耳道の骨部に配置されるように構成された、請求項１から１１のいずれか１項に記載のシール。
【請求項１３】
使用者の外耳道の骨部内で動作するＣＩＣ補聴器であって、
マイクロホン・アセンブリと、
前記マイクロホン・アセンブリから受け取った音響信号を前記使用者の鼓膜に供給するように構成されたレシーバ・アセンブリと、
前記補聴器に電力を供給するバッテリ・アセンブリであって、前記マイクロホン・アセンブリおよび前記レシーバ・アセンブリのうちの少なくとも一方に電気的に結合されたバッテリ・アセンブリと、
前記バッテリ・アセンブリ、前記マイクロホン・アセンブリおよび前記レシーバ・アセンブリのうちの１つに結合された請求項１から１２のいずれか１項に記載のシールとを含む補聴器。
【手続補正書】
【提出日】平成22年6月10日(2010.6.10)
【手続補正１】
【補正対象書類名】特許請求の範囲
【補正対象項目名】全文
【補正方法】変更
【補正の内容】
【特許請求の範囲】
【請求項１】
シーンのシーケンスを有するビデオストリームのためのフィンガープリントであって、前記シーンの継続期間を示す情報を含むフィンガープリント。
【請求項２】
前記シーンの継続期間を示す前記情報が、前記シーンが前記ビデオストリーム中に含まれる順番で前記フィンガープリント中に含まれる、請求項１に記載のフィンガープリント。
【請求項３】
各々の継続期間が、その中のビデオフレームの数のカウントとして定められる、請求項１又は請求項２に記載のフィンガープリント。
【請求項４】
前記継続期間が、
（ａ）前記ビデオストリーム中の前のシーンの少なくとも最後の画像と次のシーンの少なくとも最初の画像との間の急なビデオ素材照度変化、
（ｂ）前記ビデオストリーム中の前のシーンの少なくとも最後の画像と次のシーンの少なくとも最初の画像との間の空間的画像特徴情報中の急な変化、及び
（ｃ）前記ビデオストリーム中の前のシーンの少なくとも最後の画像と次のシーンの少なくとも最初の画像との間のオーディオ情報中の急な変化、
のうちの１つ以上に対応するシーン変化によって定められる、請求項１から請求項３のいずれか一項に記載のフィンガープリント。
【請求項５】
請求項１に記載のフィンガープリントを生成する装置であって、
（ａ）ビデオストリームを受け取るためのデータ入力装置、
（ｂ）前記入力装置を介して伝達される前記ビデオストリームをその中のシーン変化の発生を検出するために分析し、検出されたシーン変化の発生から前記ビデオストリーム中に含まれるシーンの継続期間を計算し、前記継続期間から前記フィンガープリントを生成するデータプロセッサ、
を有する装置。
【請求項６】
前記プロセッサが、
（ａ）前のシーンの少なくとも最後の画像と次のシーンの少なくとも最初の画像との間の急なビデオ素材照度変化、
（ｂ）前のシーンの少なくとも最後の画像と次のシーンの少なくとも最初の画像との間の空間的画像特徴情報中の急な変化、及び
（ｃ）前のシーンの少なくとも最後の画像と次のシーンの少なくとも最初の画像との間のオーディオ情報中の急な変化、
のうちの一つ以上に基づく分析によって、前記ビデオストリーム内のシーン変化を検出する、請求項５に記載の装置。
【請求項７】
ビデオストリームから請求項１に記載のフィンガープリントを生成する方法であって、
（ａ）前記ビデオストリームを受け取るステップ、
（ｂ）前記ビデオストリーム中のシーン変化の発生を検出するステップ、
（ｃ）前記検出されたシーン変化の発生から前記ビデオストリーム中に含まれるシーンの継続期間を計算するステップ、及び
（ｄ）前記継続期間から前記フィンガープリントを生成するステップ、
を有する方法。
【請求項８】
ステップ（ｂ）が、
（ａ）前のシーンの少なくとも最後の画像と次のシーンの少なくとも最初の画像との間の急なビデオ素材照度変化、
（ｂ）前のシーンの少なくとも最後の画像と次のシーンの少なくとも最初の画像との間の空間的画像特徴情報中の急な変化、及び
（ｃ）前のシーンの少なくとも最後の画像と次のシーンの少なくとも最初の画像との間のオーディオ情報中の急な変化、
のうちの１つ以上に基づく分析によって前記ビデオストリーム内のシーン変化を検出することを含む、請求項７に記載の方法。
【請求項９】
ビデオストリームにシーン変化検出を適用することによって装置中で前記ビデオストリームに副メディアを同期させる方法であって、
（ａ）前記装置のデータ入力装置において前記副メディア及び前記ビデオストリームを受け取るステップ、
（ｂ）前記装置のデータプロセッサにおいて、前記入力装置を介して伝達される前記ビデオストリームをその中のシーン変化の発生を検出するために分析するステップ、並びに
（ｃ）前記装置において、前記ビデオストリーム中の前記シーン変化に対応する識別子を含む前記副メディアに基づいて、ユーザへの並行した前記ビデオストリーム及び前記副メディアの表示を同期させるステップ、
を含む方法。
【請求項１０】
前記識別子と前記副メディアとの間の対応が前記副メディアに含まれる請求項９に記載の方法。
【請求項１１】
前記識別子が前記副メディアに含まれる請求項１０に記載の方法。
【請求項１２】
前記副メディアが、ambilightスクリプトを含み、前記装置において適応される場合に、前記ビデオストリームに前記ambilightスクリプトを同期させる請求項９又は請求項１０に記載の方法。
【請求項１３】
請求項８又は請求項９に記載の方法を実現するように請求項５に記載の装置の演算ハードウェア上で動作するソフトウェア。
【請求項１４】
請求項５に記載の装置用の副メディアとして使用するためのambilightスクリプトのデータ構造であって、シーン変化インジケータ及び各々のシーンに付随するambilight変化を含むデータ構造。
【請求項１５】
前記ambilightスクリプトが、当該ambilightスクリプトが補完するビデオストリームのシーン変化分析を動的に制御するための一つ以上のパラメータを含む、請求項１４に記載のデータ構造。
【請求項１６】
シーンのシーケンスを有するビデオストリームのフィンガープリントの使用であって、前記フィンガープリントが、前記シーンの継続期間を示す情報を含む使用。
【請求項１７】
前記フィンガープリントが前記ビデオストリームを識別するために用いられ、前記ビデオストリームの一部から取得される部分的なフィンガープリントを前記フィンガープリントの一部と比較する、請求項１６に記載のフィンガープリントの使用。
【請求項１８】
前記フィンガープリントが前記ビデオストリームの断片の時間的位置を決定するために用いられ、前記ビデオストリームの前記断片から取得される部分的なフィンガープリントを前記フィンガープリントの一部と比較する、請求項１６又は請求項１７に記載のフィンガープリントの使用。
【手続補正書】
【提出日】平成22年6月10日(2010.6.10)
【手続補正１】
【補正対象書類名】特許請求の範囲
【補正対象項目名】全文
【補正方法】変更
【補正の内容】
【特許請求の範囲】
【請求項１】
少なくとも１つのネットワークを介した娯楽配信を支援するためのシステムであって、
番組を配信するためのコンテンツプロバイダと、
前記番組のコンテンツ参照識別子及び前記番組を補足する周囲環境に関連するデータを含むメタデータを配信するためのメタデータプロバイダと、
ユーザ端末と、
を有し、前記ユーザ端末は、
前記メタデータを受信するための入力部と、
前記コンテンツ参照識別子を用いて前記番組を受信するための入力部と、
前記受信された番組を再生するための再生ユニットと、
オーディオ又はビデオとは異なる周囲環境効果を生成するための周囲環境生成器と、
受信された前記番組を補足する周囲環境に関連するデータに基づいて、前記コンテンツの再生と同期して前記周囲環境生成器を制御するための周囲環境制御器と、
を有するシステム。
【請求項２】
前記番組の所定の場面の再生に同期して所定の周囲環境効果を生成するための周囲環境制御データを配信するための周囲環境プロバイダを更に有し、
前記メタデータプロバイダは、前記周囲環境制御データのコンテンツ参照識別子を前記メタデータに含ませるように構成され、
前記ユーザ端末は、前記周囲環境制御データの前記コンテンツ参照識別子を用いて前記周囲環境制御データを受信するための入力部を更に有し、
前記周囲環境制御器は、前記周囲環境生成器に、前記所定の場面の再生と同期して前記所定の周囲環境効果を生成させるように構成された、請求項１に記載のシステム。
【請求項３】
前記メタデータプロバイダは、前記番組の複数のコンテンツ参照識別子を含ませるように構成され、前記周囲環境に関連するデータは、それぞれの前記コンテンツ参照識別子を用いて取得されたときに、前記番組に付随する周囲環境制御データの存在及び／又はタイプを示し、
前記ユーザ端末は、前記周囲環境に関連するデータの少なくとも幾つかを表示し、受信及び再生のために前記複数のコンテンツ参照識別子の少なくとも１つをユーザが選択できるようにするように構成され、
前記ユーザ端末は、前記選択されたコンテンツ参照識別子を用いて、前記番組及び前記付随する周囲環境制御データを受信するための入力部を有し、
前記周囲環境制御器は、前記受信された周囲環境制御データに基づいて、前記コンテンツの再生と同期して前記周囲環境生成器を制御するように構成された、請求項１に記載のシステム。
【請求項４】
前記メタデータプロバイダは、前記番組の時間を示すタイムスタンプを含ませるように構成され、前記周囲環境に関連するデータは、前記タイムスタンプに関連付けられ、
前記周囲環境制御器は、前記タイムスタンプにより示される時間に、前記周囲環境に関連するデータによって規定される周囲環境を実現するように構成された、請求項１に記載のシステム。
【請求項５】
前記メタデータプロバイダは、前記周囲環境に関連するデータに、前記番組を特徴付ける情報を含ませるように構成され、
前記周囲環境制御器は、前記番組を特徴付ける情報を考慮して、前記受信された番組に基づいて、前記周囲環境生成器によって生成されるべき周囲環境効果を動的に計算するように構成された、請求項１に記載のシステム。
【請求項６】
前記ユーザ端末は、
前記周囲環境生成器の特性に関連する及び／又はユーザ設定に関連する情報を生成するための手段と、
前記生成された情報を前記メタデータプロバイダに送信するための出力部と、
を有し、前記メタデータプロバイダは、
前記ユーザ端末から前記情報を受信するための入力部と、
前記受信された情報を考慮して、前記ユーザ端末に配信されるべきメタデータを生成するためのメタデータ生成器と、
を有する、請求項１に記載のシステム。
【請求項７】
前記周囲環境生成器は、前記番組を補足する前記受信された周囲環境に関連するデータに基づいて、前記受信された番組の再生の間の使用のための前記周囲環境生成器のリソースを確保するように構成された、請求項１に記載のシステム。
【請求項８】
前記メタデータはTV-Anytimeに準拠したものである、請求項１に記載のシステム。
【請求項９】
前記メタデータプロバイダは、TV-Anytimeに準拠したメタデータを生成し、関連マテリアルフィールド及び／又は前記番組に関連付けられた前記コンテンツ参照識別子に関連するコンテンツのパッケージに、前記周囲環境制御データに関連付けられた前記コンテンツ参照識別子を含ませるように構成された、請求項１に記載のシステム。
【請求項１０】
前記周囲環境生成器は、照明、ファン、振動装置、暖房機及びブラインドのうち少なくとも１つを有する、請求項１に記載のシステム。
【請求項１１】
少なくとも１つのネットワークを介した娯楽配信を支援するためのメタデータプロバイダであって、前記番組のコンテンツ参照識別子及び前記番組を補足する周囲環境制御データのコンテンツ参照識別子を含むメタデータを配信するように構成された、メタデータプロバイダ。
【請求項１２】
番組のコンテンツ参照識別子及び前記番組を補足する周囲環境に関連するデータを含むメタデータを受信するための入力部と、
前記コンテンツ参照識別子を用いて前記番組を受信するための入力部と、
受信された番組を再生するための再生ユニットと、
オーディオ又はビデオとは異なる周囲環境効果を生成するための周囲環境生成器と、
前記受信された番組を補足する周囲環境に関連するデータに基づいて、前記コンテンツの再生と同期して前記周囲環境生成器を制御するための周囲環境制御器と、
を有するユーザ端末。
【請求項１３】
少なくとも１つのネットワークを介した娯楽配信を支援するための方法であって、
番組を配信するステップと、
前記番組のコンテンツ参照識別子及び前記番組を補足する周囲環境に関連するデータを含むメタデータを配信するステップと、
ユーザ端末において、
前記メタデータを受信するステップと、
前記コンテンツ参照識別子を用いて前記番組を受信するステップと、
前記受信された番組を再生するステップと、
オーディオ又はビデオとは異なる周囲環境効果を生成するステップと、
受信された前記番組を補足する周囲環境に関連するデータに基づいて、前記コンテンツの再生と同期して前記周囲環境効果の生成を制御するステップと、
を有する方法。
【請求項１４】
少なくとも１つのネットワークを介した娯楽配信を支援するための方法であって、
番組のコンテンツ参照識別子及び前記番組を補足する周囲環境に関連するデータを含むメタデータを受信するステップと、
前記コンテンツ参照識別子を用いて前記番組を受信するステップと、
前記受信された番組を再生するステップと、
オーディオ又はビデオとは異なる周囲環境効果を生成するステップと、
受信された前記番組を補足する周囲環境に関連するデータに基づいて、前記コンテンツの再生と同期して前記周囲環境効果の生成を制御するステップと、
を有する方法。
【請求項１５】
請求項１３又は１４に記載の方法をプロセッサに実行させるための命令を有する、コンピュータプログラム。
【手続補正書】
【提出日】平成22年4月28日(2010.4.28)
【手続補正１】
【補正対象書類名】特許請求の範囲
【補正対象項目名】全文
【補正方法】変更
【補正の内容】
【特許請求の範囲】
【請求項１】
複数のハウジングであって、そのうち少なくとも１つに開口面を有する凹形ハウジングが含まれる、複数のハウジングと、
１または複数のエラストマーフィルムであって、各エラストマーフィルムは前記各凹形ハウジングの開口面に渡って該凹形ハウジングの周囲部分に取り付けられ、ケーブルが環境条件から密封されるように前記ケーブルが前記ハウジング間に置かれるときに、１または複数のケーブルを結びつけるように適合されている、１または複数のエラストマーフィルムと、を含む装置。
【請求項２】
前記凹形ハウジングの内壁と前記エラストマーフィルムとの間の体積に、実質的に充填材料が無い、請求項１に記載の装置。
【請求項３】
少なくとも前記エラストマーフィルムの部分には、少なくともオイルの部分を含むポリマー熱可塑性疎水性組成物が含まれ、
前記オイルの部分は、前記エラストマーフィルムの約５０％〜約９８％を構成する、請求項１に記載の装置。
【請求項４】
１または複数の柔軟な層であって、前記各柔軟な層は各凹形ハウジングの開口面に渡って前記凹形ハウジングの周囲部分に取り付けられ、１または複数の各エラストマーフィルムは前記各柔軟な層の表面部分を覆う、１または複数の柔軟な層、をさらに含む、請求項１に記載の装置。
【請求項５】
複数のケーブルであって、各ケーブルの第１の部分は、ケーブルが環境条件から密封されるようにエラストマーフィルムとハウジングとの間に置かれ、各ケーブルの第２の部分はエラストマーフィルムおよびハウジングの外側に延びる、複数のケーブル、を含み、
さらに、ケーブルを結合する結合コンポーネントを含み、
結合コンポーネントの部分は、該結合コンポーネントが環境条件から密封されるように少なくとも１つのエラストマーフィルムの部分を結びつける、請求項１に記載の装置。
【請求項６】
複数のハウジングであって、そのうち少なくとも１つには開口面を有する凹形ハウジングが含まれる、複数のハウジングと、
１または複数の柔軟な層であって、前記各柔軟な層は前記各凹形ハウジングの開口面に渡って該凹形ハウジングの周囲部分に取り付けられている、１または複数の柔軟な層と、
１または複数の順応性のある密封剤であって、前記順応性のある各密封剤は前記各柔軟な層の表面部分を覆い、前記順応性のある密封剤は、ケーブルが環境条件から密封されるように前記ケーブルが前記ハウジング間に置かれるときに、１または複数のケーブルを結びつけるように構成されている、１または複数の順応性のある密封剤と、を含む装置。
【手続補正書】
【提出日】平成22年4月5日(2010.4.5)
【手続補正１】
【補正対象書類名】特許請求の範囲
【補正対象項目名】全文
【補正方法】変更
【補正の内容】
【特許請求の範囲】
【請求項１】
少なくとも一つのポイントツーマルチポイント接続と並行して動作する少なくとも一つのポイントツーポイント接続を含むネットワークを構成することを含む方法。
【請求項２】
一つ以上の周波数帯を割当てることをさらに含む請求項１の方法。
【請求項３】
少なくとも二つの周波数帯が、異なる種類の媒体と関係付けられる請求項１の方法。
【請求項４】
前記ポイントツーポイント接続は、第１の種類の物理媒体と関係付けられ、前記ポイントツーマルチポイント接続は第２の異なる種類の物理媒体と関係付けられる請求項１の方法。
【請求項５】
前記ポイントツーポイント接続は、第１の種類の物理媒体と関係付けられ、前記ポイントツーマルチポイント接続は第２の種類の物理媒体と関係付けられる請求項１の方法。
【請求項６】
前記ポイントツーポイント接続および前記ポイントツーマルチポイント接続は、同じ種類の物理媒体と関係付けられる請求項１の方法。
【請求項７】
前記物理媒体の種類は、同軸ケーブル、ツイストペア、電力線、無線、電話、光ファイバ、イーサネット（商標）ケーブルおよび空気の内の一つである請求項３〜６の何れかの方法。
【請求項８】
異種媒体上の周波数帯の内の少なくとも二つが、少なくとも部分的に重なり合っている請求項１の方法。
【請求項９】
異なる周波数帯が異なるタイムスロットに割当てられている請求項１の方法。
【請求項１０】
同一周波数帯が同一タイムスロットで用いられる請求項１の方法。
【請求項１１】
同一周波数帯が、異なる物理媒体上の同一タイムスロットで用いられる請求項１の方法。
【請求項１２】
同一周波数帯が、異なる接続形式の異なる物理媒体上の同一タイムスロットで用いられる請求項１の方法。
【請求項１３】
同一周波数帯が同一タイムスロットで用いられ、異なる接続形式の異なる物理媒体に割当てられる請求項１の方法。
【請求項１４】
ステーションが、前記ポイントツーマルチポイント接続および前記ポイントツーポイント接続に接続される請求項１の方法。
【請求項１５】
マスターステーションは、周波数帯、タイムスロット、アプリケーション、帯域幅要件、物理媒体種類および情報形式の内の一つ以上に基づいて前記ネットワークを構成する請求項１の方法。
【請求項１６】
前記情報形式は、データ、音声、マルチメディアおよびビデオの内の一つ以上である請求項１５の方法。
【請求項１７】
三つ以上のステーション間の少なくとも一つのポイントツーマルチポイント通信接続、および二つのステーション間の少なくとも一つのポイントツーポイント通信接続を含む複数のステーションを備えるネットワークであって、前記ポイントツーポイント通信接続および前記ポイントツーマルチポイント通信接続は、ともに同時に前記ネットワーク上で動作するネットワーク。
【請求項１８】
ポイントツーマルチポイント通信接続内部で相互接続されて通信する三つ以上のステーション；および、
ポイントツーポイント通信接続により内部で相互接続されて通信する二つのステーション、
を含む複数のステーションを備えるネットワークであって、前記通信は同時に行われるネットワーク。
【請求項１９】
複数のステーションを備えるネットワークであって、三つ以上のステーションがポイントツーマルチポイント通信接続上で通信し、他の二つのステーションがポイントツーポイント通信接続上で通信するネットワーク。
【請求項２０】
複数のステーションを備えるネットワークであって、複数のステーションの内の三つ以上がポイントツーマルチポイント通信接続上で通信し、複数のステーションの内の二つがポイントツーポイント通信接続上で通信するネットワーク。
【請求項２１】
ネットワーク構成方法。
【手続補正書】
【提出日】平成22年6月18日(2010.6.18)
【手続補正１】
【補正対象書類名】特許請求の範囲
【補正対象項目名】全文
【補正方法】変更
【補正の内容】
【特許請求の範囲】
【請求項１】
サンプル中の標的核酸配列を検出するための方法であって、
上流プライマーと、下流プローブと、逆転写酵素と、切断剤と、標的核酸とを以下のステップを可能にする条件下で混合するステップと、
（ｉ）上流プライマーと下流プローブとのアニーリングステップと、
（ｉｉ）上流プライマーを伸長するステップと、ここで、前記逆転写酵素がプライマー伸長産物を合成し、下流プローブとともに切断構造を形成し、
（ｉｉｉ）前記切断剤で前記切断構造を切断して、検出可能シグナルを発生させるステップと、
（ｉｖ）前記シグナルを検出および／または測定するステップと、ここで、シグナルの検出および／または測定により前記標的核酸の存在が示される、
を含む方法。
【請求項２】
前記切断剤がＦＥＮヌクレアーゼである、請求項１に記載の方法。
【請求項３】
前記逆転写酵素が熱安定性である、請求項１に記載の方法。
【請求項４】
前記逆転写酵素が、モロニーマウス白血病ウイルス（Ｍ−ＭＬＶ）ＲＴ、ヒト免疫不全ウイルス（ＨＩＶ）ＲＴ、トリ肉腫白血病ウイルス（ＡＳＬＶ）ＲＴ、ラウス肉腫ウイルス（ＲＳＶ）ＲＴ、ニワトリ骨髄芽球症ウイルス（ＡＭＶ）ＲＴ、ニワトリ赤芽球症ウイルス（ＡＥＶ）ヘルパーウイルスＭＣＡＶ  ＲＴ、ニワトリ骨髄球腫症ウイルス、ＭＣ２９ヘルパーウイルスＭＣＡＶ  ＲＴ、ニワトリ細網内皮症ウイルス（ＲＥＶ−Ｔ）、ヘルパーウイルスＲＥＶ−Ａ  ＲＴ、トリ肉腫ウイルス、ＵＲ２ヘルパーウイルスＵＲ２ＡＶ  ＲＴ、トリ肉腫ウイルス、Ｙ７３ヘルパーウイルスＹＡＶ  ＲＴ、ラウス随伴ウイルス（ＲＡＶ）ＲＴ、および骨髄芽球症随伴ウイルス（ＭＡＶ）ＲＴからなる群より選択される、請求項１に記載の方法。
【請求項５】
前記ＦＥＮヌクレアーゼが熱安定性である、請求項２に記載の方法。
【請求項６】
前記ＦＥＮヌクレアーゼがフラップ特異的なヌクレアーゼである、請求項２に記載の方法。
【請求項７】
標的核酸を検出するための方法であって、
（ａ）標的核酸の第一の領域に対して少なくとも部分的に相補性である上流プライマーと、
５’領域および３’領域を含み、前記３’領域が前記標的核酸の第二の領域に対して少なくとも部分的に相補的である下流オリゴヌクレオチドと
を提供するステップと、
（ｂ）前記標的核酸と、上流プライマーと、下流オリゴヌクレオチドとを、標的核酸と上流プライマーと下流オリゴヌクレオチドの３’領域との間の二本鎖の形成を可能にする条件下で混合するステップと、
（ｃ）逆転写酵素の重合化活性による相補的ＤＮＡ鎖の重合によって、標的の伸長領域が切断構造を形成するために十分な長さにまで上流プライマーを伸長することができる反応条件下で、前記二本鎖を逆転写酵素の重合化活性に対して供するステップと、
（ｄ）第一の切断構造の形成に伴って、下流オリゴヌクレオチド内に位置する部位において前記切断構造の切断が生じるような条件下で切断剤を提供するステップと、これによって前記下流オリゴヌクレオチドの切断が可能となり、
（ｅ）下流オリゴヌクレオチドの切断を検出するステップと、ここで、前記下流オリゴヌクレオチドの切断の検出により前記標的核酸の存在が示される、
を含む方法。
【請求項８】
前記プライマーおよび下流オリゴヌクレオチドが、標的核酸の非重複領域にハイブリダイズする、請求項７に記載の方法。
【請求項９】
前記切断剤がＦＥＮヌクレアーゼである、請求項７に記載の方法。
【請求項１０】
前記逆転写酵素の重合化活性が鎖置換活性を含む、請求項７に記載の方法。
【請求項１１】
前記方法が、等温条件下で行われる、請求項７に記載の方法。
【請求項１２】
前記逆転写酵素が、モロニーマウス白血病ウイルス（Ｍ−ＭＬＶ）ＲＴ、ヒト免疫不全ウイルス（ＨＩＶ）ＲＴ、トリ肉腫白血病ウイルス（ＡＳＬＶ）ＲＴ、ラウス肉腫ウイルス（ＲＳＶ）ＲＴ、ニワトリ骨髄芽球症ウイルス（ＡＭＶ）ＲＴ、ニワトリ赤芽球症ウイルス（ＡＥＶ）、ヘルパーウイルスＭＣＡＶ  ＲＴ、ニワトリ骨髄球腫症ウイルス、ＭＣ２９ヘルパーウイルスＭＣＡＶ  ＲＴ、ニワトリ細網内皮症ウイルス（ＲＥＶ−Ｔ）、ヘルパーウイルスＲＥＶ−Ａ  ＲＴ、トリ肉腫ウイルス、ＵＲ２ヘルパーウイルスＵＲ２ＡＶ  ＲＴ、トリ肉腫ウイルス、Ｙ７３ヘルパーウイルスＹＡＶ  ＲＴ、ラウス随伴ウイルス（ＲＡＶ）ＲＴ、および骨髄芽球症随伴ウイルス（ＭＡＶ）ＲＴからなる群より選択される、請求項７に記載の方法。
【請求項１３】
前記逆転写酵素の重合化活性が、切断構造を形成するのに十分な長さの伸長領域に対して相補的なヌクレオチドを重合化し、前記重合化された相補的核酸はその３’末端で二本鎖における下流オリゴヌクレオチドに対して隣接する、請求項７に記載の方法。
【請求項１４】
前記逆転写酵素活性が、切断構造を形成するのに十分な長さの伸長領域に対して相補的なヌクレオチドを重合化し、前記伸長領域の長さは前記伸長領域の長さが完全な二本鎖核酸であるような長さである、請求項７に記載の方法。
【請求項１５】
前記下流プローブの５’領域が５’フラップを形成する、請求項７に記載の方法。
【手続補正書】
【提出日】平成22年5月27日(2010.5.27)
【手続補正１】
【補正対象書類名】特許請求の範囲
【補正対象項目名】全文
【補正方法】変更
【補正の内容】
【特許請求の範囲】
【請求項１】
配列番号3〜12のいずれかのヌクレオチド配列を含んでいるプライマー。
【請求項２】
下記のペアのプライマー：
a) 配列番号3および4；
b) 配列番号5および6；
c) 配列番号7および8；
d) 配列番号9および10；ならびに
e) 配列番号11および12、
の1つ以上を含んでいるプライマーのセット。
【請求項３】
下記のペアのプライマー：
a) 配列番号3および4；ならびに
b) 配列番号5および6、
の1つ以上を含んでいる請求項２記載のプライマーのセット。
【請求項４】
下記のペアのプライマー：
a) 配列番号7および8；
b) 配列番号9および10；ならびに
c) 配列番号11および12、
の1つ以上を含んでいる請求項２記載のプライマーのセット。
【請求項５】
配列番号13〜17、53または54のいずれかのヌクレオチド配列を含んでいるプローブ。
【請求項６】
(i) 1種の正方向プライマー；
(ii) 1種の逆方向プライマー；および
(iii) 1種のプローブ、
を含むキットであって、要素(i)、(ii)、および(iii)は、ストリンジェントな条件下でMAGE-A3の標的配列とハイブリダイズすることができ、(i)、(ii)、または(iii)の標的配列のうちの少なくとも１つは、他の全てのMAGE Aヌクレオチド配列の等価な領域と比較して少なくとも1つのヌクレオチドが異なっており、かつこのセットはMAGE-A3とMAGE-A6とを区別するために用いることができる、前記キット。
【請求項７】
(i) 1種の正方向プライマー；
(ii) 1種の逆方向プライマー；および
(iii) 1種のプローブ、
を含むキットであって、要素(i)、(ii)、および(iii)は、ストリンジェントな条件下でMAGE-A3の標的配列とハイブリダイズすることができ、(i)、(ii)、または(iii)の標的配列のうちの少なくとも１つは、MAGE-A6ヌクレオチド配列の等価な領域と比較して少なくとも1つのヌクレオチドが異なっており、かつこのセットはMAGE-A3とMAGE-A6とを区別するために用いることができる、請求項６記載のキット。
【請求項８】
次の要素；(i) 少なくとも1種の請求項1に記載のプライマーまたは請求項2〜4のいずれかに記載のプライマーのセット；および(ii)請求項5に記載の少なくとも1種のプローブ、を含んでいるキット。
【請求項９】
(i)1種のプライマーペアおよび(ii)1種のプローブを含み、要素(i)が配列番号3および4を含んでおり；そして要素(ii)が配列番号13を含んでいる、または要素(i)が配列番号5および6を含んでおり；そして要素(ii)が配列番号14を含んでいる、要素(i)が配列番号7および8を含んでおり；そして要素(ii)が配列番号15を含んでいる、要素(i)が配列番号9および10を含んでおり；そして要素(ii)が配列番号16を含んでいる、要素(i)が配列番号11および12を含んでおり；そして要素(ii)が配列番号17もしくは配列番号53もしくは配列番号54を含んでいる、請求項8に記載のキット。
【請求項１０】
生物学的サンプルから得られたまたは該サンプルに由来する単離されたヌクレオチド配列と、少なくとも1種の請求項1に記載のプライマー、請求項2〜4のいずれかに記載のプライマーのセット、請求項5に記載のプローブ、または請求項6〜9のいずれかに記載のキットとを接触させるステップを含む、MAGE-A3陽性腫瘍組織の存在または不在を判定する方法。
【請求項１１】
被験者におけるMAGE-A3発現性腫瘍を検出する方法であって、該被験者の生物学的サンプルから得られたまたは該サンプルに由来する単離されたヌクレオチド配列と、少なくとも1種の請求項1に記載のプライマー、請求項2〜4のいずれかに記載のプライマーのセット、請求項5に記載のプローブ、または請求項6〜9のいずれかに記載のキットとを接触させるステップ、および該サンプル中にMAGE-A3が発現されているかを評価するステップを含む、前記方法。
【請求項１２】
ヌクレオチド配列を増幅するステップ、および前記サンプル中の増幅されたヌクレオチド配列を検出するステップをさらに含む、請求項10または11に記載の方法。
【請求項１３】
生物学的サンプルから得られたまたは該サンプルに由来する単離されたヌクレオチド配列と、少なくとも1種の請求項1に記載のプライマー、または請求項5に記載のプローブとを接触させることを含む、MAGE-A3陽性腫瘍組織の存在または不在を判定する方法。
【請求項１４】
前記単離されたヌクレオチド配列が、ストリンジェントな条件下で少なくとも1種のプライマーまたはプローブとハイブリダイズし、それによって腫瘍組織がMAGE-A3陽性であるかを検出するステップをさらに含む、請求項13に記載の方法。
【請求項１５】
前記ヌクレオチド配列が少なくとも1種のプライマーまたはプローブとハイブリダイズするかを検出するために、in situハイブリダイゼーションを用いるステップをさらに含む、請求項14に記載の方法。
【請求項１６】
前記生物学的サンプルが凍結組織である、請求項10〜15のいずれか1項に記載の方法。
【請求項１７】
前記生物学的サンプルがパラフィンで保存された組織である、請求項10〜15のいずれか1項に記載の方法。
【請求項１８】
MAGE-A3特異的免疫療法薬を含む組成物の、MAGE-A3発現性腫瘍に罹患しているまたはMAGE-A3発現性腫瘍を再発し易い患者を治療するための医薬品の製造における使用であって、その際、患者は請求項10〜17のいずれかに記載の方法を用いてMAGE-A3発現性腫瘍組織を有していることが同定される、前記使用。
【請求項１９】
MAGE-A3特異的免疫療法薬を含む組成物がMAGE-A3抗原またはそのペプチドを含む、請求項18に記載の使用。
【請求項２０】
MAGE-A3抗原またはそのペプチドがペプチドEVDPIGHLYを含むかまたは該ペプチドからなる、請求項19に記載の使用。
【請求項２１】
MAGE-A3抗原またはペプチドが担体タンパク質と融合またはコンジュゲートしている、請求項19または20に記載の使用。
【請求項２２】
担体タンパク質がプロテインD、NS1、もしくはCLytA、またはそれらの断片から選択されたものである、請求項21に記載の使用。
【請求項２３】
前記組成物がさらにアジュバントを含む、請求項18〜22のいずれかに記載の使用。
【請求項２４】
アジュバントが、3D-MPL；アルミニウム塩；CpG含有オリゴヌクレオチド；サポニン含有アジュバント、例えばQS21またはISCOMなど；水中油型乳剤；およびリポソームのうちの1種以上または組み合わせを含む、請求項23に記載の使用。
【請求項２５】
アジュバントが3D-MPL、CpG含有オリゴヌクレオチド、およびQS21を含む、請求項23または24に記載の使用。